(57)【要約】マーカは、製作装置による要求に応じて製作された商品に含まれてもよい。このようなマークされた商品内のマーカは、スキャン装置によって検出されてもよく、マーカに基づいて三次元オブジェクトの印刷に関連する情報及び／または命令を提供することができる。【選択図】図１
2017528333.tif 000002
【特許請求の範囲】
【請求項１】
コンピュータシステムによる、第１の三次元商品に関するスキャンされた情報の受信であって、前記第１の三次元商品は、三次元製作命令のセットに少なくとも部分的に基づき第１の三次元製作装置によって生成され、前記スキャンされた情報は、前記第１の三次元商品のマーカに関するマーカ情報を含む、前記第１の三次元商品に関するスキャンされた情報の受信と、
前記マーカ情報に基づく、前記第１の三次元商品のコピーを生成するための許可が存在するか否かの判定と、
前記許可が存在する場合の、第２の三次元製作装置を用いた前記第１の三次元商品の前記コピーの製作のための命令の提供と、
前記許可が存在しない場合の、前記第２の三次元製作装置を用いた前記第１の三次元商品の前記コピーの製作を妨げる命令の提供と、
を含む方法。
【請求項２】
前記命令は、
前記第２の三次元製作装置が、前記第２の三次元製作装置のスキャン装置からの商品情報を取得することを妨げる情報を含み、製作を妨げ、
前記商品情報は、前記第１の三次元商品に少なくとも部分的に基づき、前記第２の三次元製作装置を用いて第２の三次元商品を製作するための三次元製作命令を生成するために利用可能である、
請求項１に記載の方法。
【請求項３】
前記命令は、
前記第２の三次元製作装置が、前記三次元製作装置のスキャン装置から取得された商品情報から前記三次元製作命令を生成することを妨げる情報を含み、製作を妨げ、
前記第２の三次元製作装置が、前記第１の三次元商品に少なくとも部分的に基づき、前記第２の三次元製作装置を用いて第２の三次元商品を製作するための三次元製作命令を生成するために利用可能である、
請求項１に記載の方法。
【請求項４】
前記マーカが、前記第１の三次元商品を製作するために利用された他の材料とは異なるマーカ材料を備える、請求項１に記載の方法。
【請求項５】
前記第１の三次元商品が単一の材料を備え、前記マーカが前記単一の材料の特性である、請求項１に記載の方法。
【請求項６】
前記マーカ、
電磁スペクトルのセグメントへの特定の反応を有する材料、
特定の色を有する材料、
特定のにおいを有する材料、
特定の磁気特性を有する材料、
特定の密度を有する材料かまたは、
特定の生物学的材料、
の少なくとも１つを備える、請求項１に記載の方法。
【請求項７】
前記マーカは、
前記三次元製作命令のセットを受けて、前記第１の三次元製作装置によって、前記第１の三次元商品の一部として製作された無線周波数識別（ＲＦＩＤ）タグか、
前記三次元製作命令のセットを受けて、前記第１の三次元製作装置によって、前記第１の三次元商品の一部として製作されたボイドのパターンか、または
異なる特性を有する材料のパターン、
の少なくとも１つを備える、請求項１に記載の方法。
【請求項８】
コンピュータシステムによる、三次元製作装置を用いて三次元商品を製作するための要求の受信と、
前記三次元製作装置を用いた前記三次元商品の製作に関する商品情報へのアクセスと、
製作される前記三次元商品に含めるように指定された、前記三次元商品に関連する許可を示すマーカに関するマーカ情報へのアクセスと、
前記商品情報及び前記マーカ情報に少なくとも部分的に基づく三次元製作命令の生成と、
前記三次元製作命令に基づいて、含まれる前記マーカを用いて前記三次元製作装置に前記三次元商品を製作させるための命令と、
を含む方法。
【請求項９】
前記許可が、三次元製作装置によって、前記三次元商品の複製が許可されないことを示す、請求項８に記載の方法。
【請求項１０】
前記マーカが、前記三次元商品を製作するために利用された他の材料とは異なるマーカ材料を備える、請求項８に記載の方法。
【請求項１１】
前記三次元商品が、単一の材料を備え、前記マーカが、前記単一の材料の特性である、請求項８に記載の方法。
【請求項１２】
前記マーカは、
電磁スペクトルセグメントへの特定の反応を有する材料、または、
特定のにおいを有する材料、
の少なくとも１つを備える、請求項８に記載の方法。
【請求項１３】
前記マーカは、
特定の色を有する材料、
特定の密度を有する材料、または、
特定の生物学的材料、
の少なくとも１つを備える、請求項８に記載の方法。
【請求項１４】
前記マーカは、
特定の磁気特性を有する材料、
前記三次元製作命令を受けて、前記三次元商品の一部として前記三次元製作装置によって製作された無線周波数識別（ＲＦＩＤ）タグ、
前記三次元製作命令を受けて前記三次元商品の一部として前記三次元製作装置によって製作されたボイドのパターン、または、
異なる特性を有する材料から形成されたパターン、
の少なくとも１つを備える、請求項８に記載の方法。
【請求項１５】
前記マーカは、前記三次元商品の表面下に位置するか、または人間の目には見えないかの、少なくとも１つである、請求項８に記載の方法。
【発明の詳細な説明】
【技術分野】
【０００１】
関連出願の相互参照
本出願は国際出願であり、２０１４年６月２７日付出願の「ＴＨＲＥＥ−ＤＩＭＥＮＳＩＯＮＡＬ  ＳＣＡＮＮＩＮＧ  ＷＡＴＥＲＭＡＲＫ」と題する米国出願番号第１４／３１７，５１６（代理人整理番号９０２０４〜９０８３４４（０７８６００ＵＳ））及び２０１４年６月２７日出願の「ＴＨＲＥＥ−ＤＩＭＥＮＳＩＯＮＡＬ  ＷＡＴＥＲＭＡＲＫ  ＧＥＮＥＲＡＴＩＯＮ」と題する米国出願番号第１４／３１７，５５９（代理人整理番号９０２０４-９０９７０６（０７９６００ＵＳ））に対する優先権を主張するものである。本出願はまた、同時出願された同時係属中の「ＴＨＲＥＥ−ＤＩＭＥＮＳＩＯＮＡＬ  ＷＡＴＥＲＭＡＲＫ  ＧＥＮＥＲＡＴＩＯＮ」米国特許第１４／３１７，５５９（代理人整理番号９０２０４-９０９７０６（０７９６００ＵＳ））の全開示に関し、それらをすべての目的のために参考として組み込む。
【背景技術】
【０００２】
現代の電子商取引において、多くの商品が電子的に売買される。このような電子的取引を容易にするために、サービスプロバイダはクライアントが商品を選択し注文することができるネットワークサイトまたは他の電子市場を提供してもよい。商品は、電子市場によって提供される多くの商品の１つであってもよい。電子市場は、選択された商品を識別し、商品がクライアントに引き渡されるよう万全を期すためのシステムを有してもよい。クライアントに引き渡される商品をクライアントが容易に複製することができる場合、クライアントは電子市場から商品の追加コピーを購入するよりも個人的に商品の追加コピーを生成することを選択する場合がある。商品のこのような購入されていないコピーは、電子市場サービスの需要を低減させ、それによってもたらされる収益に影響を与える可能性がある。購入されていないコピーにはまた、サービスプロバイダによって提供される商品には当初生産時の適切な品質管理が欠如することがあり、それによってクライアントは不良な、または危険ですらある製品の影響を受けることになる場合がある。
【発明の概要】
【課題を解決するための手段】
【０００３】
マーカは、製作装置による要求に応じて製作された商品に含まれてもよい。このようなマークされた商品内のマーカは、スキャン装置によって検出されてもよく、マーカに基づいて三次元オブジェクトの印刷に関連する情報及び／または命令を提供することができる。
【０００４】
本開示による様々な実施形態について、以下の図面を参照して説明する。
【図面の簡単な説明】
【０００５】
【図１】少なくとも１つの実施形態による、サービスプロバイダのコンピュータシステムを介して１つまたは複数のマークされた商品を提供し、かつ／またはマークされた商品識別するための例示的なシステムを示す概略図である。
【図２】少なくとも１つの実施形態によって、マークされた商品を提供し、かつ／または識別するための技術が実装されてもよい、例示的なシステムまたはアーキテクチャを示す概略図である。
【図３】実施形態による、マークされた商品提供するためのプロセスを表すフローチャートである。
【図４】実施形態による、マークされた商品を識別するためのプロセスを表すフローチャートである。
【図５】様々な実施形態を実装することができる環境を示す。
【発明を実施するための形態】
【０００６】
以下の説明では、様々な実施形態について記す。説明のため、特定の構成及び詳細について本実施形態を完全に理解できるようにするために述べる。しかしながら、特定の詳細なしに実施形態が実施されてもよいこともまた、当業者には明らかである。さらに、周知の特徴については、記載の実施形態を不明瞭にしないために省略するかまたは簡略化してもよい。
【０００７】
本明細書に記載の技術は、商品に関する情報を含むように、三次元（３Ｄ）印刷などの要求に応じて製作される商品のマーキング及び／またはこのような方法でマークされた商品の識別を含む。マーカは、ユーザにとって目立たないかまたは容易に識別することができない、マーカを検出しかつ／または解釈することが可能なシステムに対して商品に関する情報を提供するための潜在的な物理的「透かし」としての役割を果たしてもよい。
【０００８】
いくつかの実施例では、３Ｄプリンタによって印刷されたプラスチック製の像は、像の設計者、像が印刷された日付、及び／または像のさらなるコピーを印刷するための像の仮想モデルのデータを取得することを装置が許可されているか否かを示すために、装置によって（例えば、スキャナを用いて）検出、解釈することができるドットまたは他の材料（例えば、特定の周波数の紫外線に対応するが人間の目には見えない材料）の埋め込み配置を含んでもよい。
【０００９】
説明のための実施例として、設計者は三次元オブジェクトの印刷のための三次元命令を生成してもよい。三次元命令は三次元印刷／製作装置（以下「３Ｄプリンタ」とする）に対して出されてもよい。オブジェクトの３Ｄバージョンを印刷し、３Ｄオブジェクトの一部として３Ｄ透かしを埋め込むために３Ｄプリンタを設けてもよい。設計者の要求により、３Ｄプリンタは多くの異なるタイプの適切な３Ｄ透かしの１つを生成し、かつ／または作成し、その後３Ｄ透かしを３Ｄオブジェクトの中に、その上で、またはその１部として印刷してもよい。このようにして、３Ｄオブジェクトは３Ｄオブジェクト、設計者、及び／またはコピー許可に関する情報を識別することができる３Ｄ透かしを含んでもよい。スキャン構成要素は３Ｄオブジェクトを印刷した当初の３Ｄプリンタであってもよい第２の３Ｄプリンタを利用して、３Ｄオブジェクトをスキャンし、３Ｄ透かしを検出してもよい。第２の３Ｄプリンタは３Ｄ透かしに少なくとも部分的に基づき、(例えば、３Ｄオブジェクトの第２のバージョンを再印刷するために）３Ｄオブジェクトをコピーするための適切な許可及び／または権利が付与されたか否かを識別することができてもよい。３Ｄ透かしからの情報は、３Ｄオブジェクト及び／またはその関連コピー許可に関連する（例えば、中央データベース内の）データを調べるために利用されてもよい。このようにして、３Ｄオブジェクト及び／または３Ｄオブジェクトの当初の設計の著作権が３Ｄオブジェクトに埋め込まれた３Ｄ透かしによって管理されてもよい。
【００１０】
図１は、サービスプロバイダ１０８のコンピュータシステム１０６を介して１つまたは複数のマークされた商品１１０を提供することができる、例示的なシステム１００を示す。ユーザ１０２は、（以下に記す）パーソナルコンピューティング装置を介してサービスプロバイダ１０８のコンピュータシステム１０６へと注文１０４を提出することができる。例えばユーザ１０２は、電子市場にて提示された商品の注文１０４を提出し、例えば三次元（３Ｄ）製作装置などの製作装置１１４の要求に応じて商品を製作するように要求することができる。サービスプロバイダ１０８のコンピュータシステム１０６は、注文された商品を３Ｄ製作装置１１４で製作するための３Ｄ製作命令１１２を出すことができる。マークされた商品１１０は３Ｄ製作装置１１４による製作の間、マーカ１２４を含むことができる。そのために、製作命令１１２が商品情報１１８（すなわち、注文された商品に関する詳細）及びマーカ情報１１６（すなわち、マーカ１２４に関する詳細）を組み込んでもよい。いくつかの実施形態において、サービスプロバイダ１０８のコンピュータシステム１０６はサードパーティ１３０から（例えば、サードパーティ１３０のコンピュータシステム１３２を通じて）受信された商品情報１２８及び／またはマーカ情報１２６に基づいて、商品情報１１８及び／またはマーカ情報１１６を決定し、かつ／または生成してもよい。マーカ１２４は任意の好適な顕著な特徴（特定の材料の特性または配置などの）であってもよく、マーカ１２４の様々な実施例について本明細書にてさらに詳細に記す。
【００１１】
図１に示すシステム１００は追加的にまたは代替案として、マークされた商品１１０の識別を容易にしてもよい。スキャン装置１２０は検出情報１２２を取得するために、マークされた商品１１０に関する属性をスキャンするかまたは感知してもよい。スキャン装置１２０は通常、ユーザ１０２によって所有されているか、またはユーザ１０２にアクセスすることが可能である。検出情報１２２（例えば、スキャンされた情報）は、商品情報１３８（すなわち、スキャンされた商品に関する詳細）及び／またはマーカ情報１３６（すなわち、マーカ１２４に関する詳細）を含んでもよい。マーカ情報１３６はマーカ情報１３６に基づき、特定の動作を実行するための許可情報及び／または命令を含んでもよい。ある実施例において、検出情報１２２からのマーカ情報１３６は、いくつかの解釈及び／または検出情報１２２の部分をユーザ１０２、サービスプロバイダ１０８、サードパーティ１３０、及び／または製作装置１１４に伝達するための命令を含んでもよい。別の実施例では、検出情報１２２からのマーカ情報１３６が、マークされた商品１１０に基づく複製が許可されているか否かを示してもよい。
【００１２】
図１に示すシステム１００の動作の説明のための実施例を以下に記す。ある人が慎重に検討した後に、髭を生やした旧石器時代人の像を同僚のための完全に「内輪受けの」記念品とすることを決定する。その人（説明のための本実施例におけるユーザ１０２）は、（本実施例においてサービスプロバイダ１０８のコンピュータシステム１０６が提供する）電子市場のネットワークページにアクセスするために自身のスマートフォンを利用する。ユーザ１０２はネットワークページ上で「ＰＡＬＥＯ−ＢＥＡＲＤ−ＭＡＮ（髭を生やした旧石器時代人）」と題した製品（すなわち、上述の像）の注文（すなわち、図１の１０４）を出し、ユーザの家庭用３Ｄプリンタ（すなわち、本実施例における製作装置１１４）での印刷を介した引き渡しを要求する。コンピュータシステム１０６はＰＡＬＥＯ−ＢＥＡＲＤ−ＭＡＮ（髭を生やした旧石器時代人）の設計者によって維持されるデータベース（すなわち、サードパーティ１３０のコンピュータシステム１３２）と対話し、デジタル３Ｄモデル（すなわち、商品情報１２８）を受信し、設計者のライセンス交付部門インターフェースへのリンクがＰＡＬＥＯ−ＢＥＡＲＤ−ＭＡＮ（髭を生やした旧石器時代人）のすべてのインスタンス（すなわち、マーカ情報１２６）に符号化されるように要求する。コンピュータシステム１０６はその後、ユーザの３Ｄプリンタのための印刷命令（すなわち、３Ｄ製作装置１１４のための３Ｄ製作命令１１２）を生成する。印刷命令は、完全なＰＡＬＥＯ−ＢＥＡＲＤ−ＭＡＮ（髭を生やした旧石器時代人）（すなわち、商品情報１１８）を生成するレイヤに一次材料を堆積させるようにプリンタに指示し、また、二次材料の特定のパターンを最後から２番目のレイヤ（すなわち、マーカ情報１１６）の中に堆積させるようにプリンタに指示する。これらの命令に続いて、ユーザのプリンタは、表面直下に位置し、そのためにユーザには見えない二次材料の特定のパターンを有するＰＡＬＥＯ−ＢＥＡＲＤ−ＭＡＮ（髭を生やした旧石器時代人）（すなわち、マーカ１２４を有するマークされた商品１１０）を生成する。贈り物に気を良くした同僚は、家族のためのコピーを作成するために、ＰＡＬＥＯ−ＢＥＡＲＤ−ＭＡＮ（髭を生やした旧石器時代人）を自身の３Ｄスキャナプリンタ複合機（すなわち、スキャン装置１２０及び製作装置１１４を含む装置）に配置する。スキャン時に（すなわち、検出情報１２２を取得する際に）、スキャン装置１２０はＰＡＬＥＯ−ＢＥＡＲＤ−ＭＡＮ（髭を生やした旧石器時代人）内の二次材料のパターン（すなわち、マーカ１２４）を二次材料の個別の赤外線サインに基づいて識別するために赤外線センサを利用する。スキャンによってまた、ＰＡＬＥＯ−ＢＥＡＲＤ−ＭＡＮ（髭を生やした旧石器時代人）の新規のデジタルモデルを作成するための十分なデータ（すなわち、検出情報１２２の商品情報１３８）が提供されてもよい。検出された二次材料のパターンは復号されて、マーカによって伝達された情報（すなわち、検出情報１２２のマーカ情報１３６）を判定する。説明のための本実施例では、マーカ情報１３６に基づいて設計者のライセンス交付部門とのインターフェースへのリンクが同僚（すなわち、ユーザ１０２）に提供され、製作装置１１４は同僚が設計者のライセンス交付部門とのインターフェースを通じて利用可能な検証済みの製作命令１１２を利用する方を好むか否かを判断する機会を得るまで、ＰＡＬＥＯ−ＢＥＡＲＤ−ＭＡＮ（髭を生やした旧石器時代人）のコピーを生成するために新規作成されたデジタルモデルを利用しないよう命令を受ける。
【００１３】
少なくとも１つの実施形態によると、３Ｄ製作装置１１４（複数可）は本明細書に記載の３Ｄプリンタまたはいくつかの他の３Ｄまたは多次元製作装置１１４を含んでもよい。理解されるように、「ｍａｎｕｆａｃｔｕｒｅ（製作）」の用語は物理オブジェクトの生産を含む。３Ｄ製作装置１１４は、３Ｄ製作命令１１２に基づいて三次元物理オブジェクトを生成するために利用することができる任意の製作技術を利用してもよい。付加及び除去製造プロセスの両方を、個別にまたは組み合わせて利用することができる。例えば製作技術は、熱溶解積層、電子ビーム自由形状製造、直接金属レーザー焼結、電子ビーム融解、選択的レーザー融解、選択的加熱焼結、選択的レーザー焼結、薄膜積層、光造形、デジタル光処理、ならびに、石膏を用いた、粉体層の、及びインクジェットヘッドの３Ｄ印刷を含む任意の３Ｄ印刷を含むことができる。製作技術はまた、コンピュータ数値制御（またはＣＮＣ）技術などにおけるデジタルモデルに基づく工作機械のオートメーションを含んでもよい。このような技術の組み合わせがまた用いられ、垂下部の下の支持部を含み、支持部の除去に十分なほど垂下部が硬化した後に自動道具を用いて支持部を切断する、商品の３Ｄ印刷などが行われてもよい。
【００１４】
３Ｄ製作命令１１２は、商品を作成するために３Ｄ製作装置１０８が利用することができる任意のタイプのデータ及び／または命令を含むことができる。３Ｄ製作命令１１２は、オブジェクトのデジタルモデルまたはデータに基づく物理オブジェクトの生成において利用される任意のデータまたは命令を含むことができる。ある実施例において３Ｄ製作命令１１２は、３Ｄ製作装置１１４によって商品を物理的に生成することができるように、商品の属性を十分に示す寸法、公差、及び／または他の部品仕様の組み合わせを含んでもよい。別の実施例では、計算機支援設計（ＣＡＤ）ファイルまたはコンピュータモデリングプログラムのためのファイルによって提供されてもよいようなデジタルモデルを３Ｄ製作命令１１２が含んでもよい。別の実施例では、３Ｄ製作命令１１２が例えばＳＴＬ、ＰＬＹ、またはＶＲＭＬ形式のファイルを含んでもよい。別の実施例では、３Ｄ製作命令１１２がまた、１度に１レイヤごとの物理モデルの構築に際して参照されるデジタルモデルの断面を表すファイルを含んでもよい。別の実施例では、３Ｄ製作命令１１２はまた、物理オブジェクトを生成する３Ｄ製作装置１１４を制御するための特定の逐次的な命令を提供する実行可能コードを含んでもよい。
【００１５】
実施形態において、サービスプロバイダ１０８のコンピュータシステム１０６は電子市場を提供することができる。電子市場は、ネットワークを通じて実装された、購入者及び販売者のための仮想市場とすることができる。電子市場は、複数の販売者が仮想市場において消費のために挙げられた商品を提供することができるような販売者向けのインターフェースを提供することができる。電子市場はまた、購入者が挙げられた商品から選択し注文することができるような購入者向けのインターフェースを提供することができる。実施形態において購入者及び販売者は、ユーザ１０２、サードパーティ１３０、及びサービスプロバイダ１０８を含むことができる。例えばユーザ１０２は、サービスプロバイダ１０８またはサードパーティ１３０が電子市場において挙げた商品の注文１０４を出すことができる。実施形態においてサードパーティ１３０は、３Ｄ製作装置１１４を介してマークされた商品１１０を生成するために利用することができる３Ｄ製作命令１１２に関連するデータを提供することができる。例えばサードパーティ１３０は、マーカ情報１２６、商品情報１２６、及び／または製作命令１１２を提供してもよい。
【００１６】
（図１の１１８、１２８、及び／または１３８によって指定されるような）商品情報は、構造、形状、材質、他の特性、またはその組み合わせなどの指定される商品に関する詳細を含むことができる。マーカ情報（図１の１１６、１２６、及び／または１３６によって指定されるような）は、種類、大きさ、材料、意味、製作装置による実装方法、またはその組み合わせなどのマーカ１２４に関する詳細を含むことができる。いくつかの実施形態においてマーカ情報１１６は、商品情報１１８によって指定される特性に実質的な変更を加えることなくマーカ１２４の実装に関する情報を含んでもよい。さらに理解されるように、図１においてある参照番号によって指定される商品情報またはマーカ情報は、図１において別の参照番号によって指定される商品情報またはマーカ情報と必ずしもまったく同じである必要はない。例えば、ＰＡＬＥＯ−ＢＥＡＲＤ−ＭＡＮ（髭を生やした旧石器時代人）を参照する上述の説明のための実施例において示したように、製作装置１１４がマーカ１２４を実装する方法のための命令をマーカ情報１１６が含み、マーカ情報１３６がマーカ１２４の解釈を含む一方で、マーカ情報１２６はマーカ１２４の意図する意味を含んでもよい。
【００１７】
いくつかの実施形態では、マーカ情報１１６及び商品情報１１８は３Ｄ製作命令１１２において合成することができる。例示的な実施例として３Ｄ製作命令１１２は、マークされた商品１１０に組み込まれたマーク１２４を表す単一の仮想モデルまたはマークされた商品１１０をマーカ１２４でマークするための逐次的な命令を提供する実行可能コードであってもよい。いくつかの実施形態において、マーカ情報１１６及び商品情報１１８は３Ｄ製作命令１１２の個別要素とすることができる。説明のための実施例として３Ｄ製作命令１１２は、マークされた商品１１０の構成に関する商品情報１１８及びマーク１２４を含むべくマークされた商品１１０の構成の調整方法を３Ｄ製作装置１１４が決定することができるように指定されたマーカ１２４の種類を示す別個のマーカ情報１１６を含んでもよい。同様にサードパーティ１３０によって提供された情報は、組み合わせられたまたは別個の商品情報１２８及びマーカ情報１２６を含んでもよく、またそのいずれか一方のみを含んでもよい。同様に、検出情報１２２は、組み合わせられたまたは別個の個別の商品情報１３８及びマーカ情報１３６を含んでもよく、またそのいずれか一方のみを含んでもよい。例えばスキャン装置１２０は、商品情報１３８を取得する動作の実行前にまたはそれと同時ではないタイミングでマーカ１２４を検出する、かつ／またはマーカ情報１３６を取得する動作を実行してもよい。
【００１８】
実施形態において検出情報１２２（または検出情報１２２に基づく情報）は様々な機能を容易にするために、他の構成要素またはエンティティに伝達されてもよい。例えば、検出情報１２２は、商品１１０を作成するために製作装置１１４が利用する製作命令１１２の生成及び／または修正の根拠として製作装置１１４に伝達されてもよい。さらなる説明のための実施例として、検出情報１２２はマークされた商品１１０に関する追加情報の提供または要求などの機能を容易にするために、ユーザ１０２、サービスプロバイダ１０８、及び／またはサードパーティ１３０に伝達されてもよい。
【００１９】
単一の装置は、３Ｄ製作装置１１４及びスキャン装置１２０の両方を含んでもよい。しかし、３Ｄ製作装置１１４及びスキャン装置１２０はまた、異なるエンティティによって操作されるかまたはそれに関連してもよい個別の装置とすることができる。いくつかの実施形態において、第１の３Ｄ製作装置１１４は、マークされた商品１１０を作成してもよく、別個のスキャン装置１２０は、マーカ１２４に基づいてマークされた商品１１０のコピーを作成するかまたは制限するため、第２の３Ｄ製作装置１１４とのインターフェースが可能である。
【００２０】
３Ｄ製作装置１１４及び／またはスキャン装置１２０は、サービスプロバイダ１０８、ユーザ１０２、及び／またはサードパーティ１３０によって、またはそれに関連して操作されてもよい。３Ｄ製作装置１１４及び／またはスキャン装置１２４を制御するあらゆるエンティティからマークされた商品１１０を意図する受信者に転送するために、適切な中間操作が実装されてもよい。例えばユーザ１０２の注文１０４を実現するために生成されたマークされた商品１１０は、サービスプロバイダ１０８によって制御される製作装置１１４において生成されてもよく、ユーザによって提供される引き渡し情報に基づいて、トラック便または、普通郵便、航空便、トラック、航空ドローン、または指定の引き取り場所への預託を含む任意の好適な配送方法を介して、ユーザ１０２に引き渡されてもよい。いくつかの実施形態において、注文１０４は、ユーザ１０２がマークされた商品１１０を生成するために個人的な製作装置１１４を利用してもよいという製作命令１１２を出すことによって実現されてもよい。
【００２１】
マーカ１２４は、スキャン装置１２０によって検出可能な任意の好適な顕著な特徴とすることができる。例えば、異なる実施形態によると顕著な特徴は、マークされた商品１１０全体が構成される材料の特性、マークされた商品１１０における個別の材料の存在、またはマークされた商品１１０に含まれる材料間の差異に基づいて検出可能なパターンとすることができる。いくつかの実施形態において、単一の特徴的な材料は、これらの顕著な特徴のいずれかを提供することができる。説明のための実施例として、製作装置１１４は、紫外線色素（すなわち、「紫外線プラスチック」）と混合されるか、または色素なしで利用されるか（すなわち、「通常のプラスチック」）のいずれかであってもよいプラスチックから商品を製造してもよい。製作装置１１４が紫外線プラスチックを利用する方法に応じて、マーカ１２４は、商品１１０が紫外線プラスチックからすべて形成されるか、通常のプラスチック内に構造紫外線プラスチックのドットを単に含むか、または通常のプラスチック内に紫外線プラスチックのドットの識別可能なパターンを分散させて含むか、のいずれかであってもよい。いくつかの実施形態においてマーカ１２４は、バーコード、ＱＲコード、文字列、数字列、記号、またはそのいくつかの組み合わせなどのパターン内で符号化されたデータまたはメタデータを含んでもよい。
【００２２】
マーカ１２４の提供に関しては多数の選択肢が存在する。様々な実施形態において、マーカ１２４は特定の顕著な特性を有する１つまたは複数の材料を含んでもよい。非限定的な実施例としてマーカ１２４は、電磁スペクトル（電波、紫外線、赤外線光、または可視光など）の所与のセグメント、特定の色、特定のにおい、特定の密度、特定の生体品質、特定の磁気特性、特定の導電性、特定の物理特性、特定の化学特性、または特定の原子特性への特定の反応を有する材料を含んでもよい。マーカ１２４は、異なる特性を有する材料から形成されるパターンを含んでもよい。マーカ１２４は、３Ｄ製作命令１１２を受けて商品１１０の一部として製作装置１１４によって製作されたＲＦＩＤタグであってもよい。マーカ１２４は、商品１１０の一部として製作されたボイドのパターンであってもよい。マーカ１２４はまた、上述の実施例のいずれかの任意の組み合わせ、配置、及び／または変形形態を含んでもよい。いくつかの実施形態において、サードパーティ１３０が提供するマーカ情報１２６などのマーカ情報は、利用されるマーカ１２４の特定の種類及び／または材料の選択を含んでもよい。
【００２３】
スキャン装置１２０は、マーカ１２４を検出するための任意の適切な構成要素を含んでもよい。非限定的な実施例としてスキャン装置１２０は、超音波、Ｘ線、紫外線、赤外線、無線、光学、レーザー、磁気共鳴、核磁気共鳴、レーダー、ソナー、深度、密度、熱、化学、ホログラム、放射測定、分子、または光音響技術を利用した撮像などのための、信号及び／または透過する波長の、生成及び／または受信のための１つまたは複数の器具（例えば、トランスミッタ、レシーバ、トランスデューサ、センサ、検出器、またはエミッタ）を含んでもよい。
【００２４】
任意の意義または意味が特定のマーカ１２４に関連してもよい。特定のマーカ１２４に関連することができる意味の非限定的な実施例は、許可、識別情報、真贋情報、連絡先情報、ソース情報、及び、商品１１０の生産に関連する日時、場所、またはシリアル番号などの生産情報を含む。いくつかの実施形態において、マーカ１２４は、複数の意味に関連してもよい。非限定的な実施例としてマーカ１２４は、マークされた商品１１０の所有者及び製作日の両方を示すＱＲコードを含んでもよい。いくつかの実施形態において、マーカ１２４は、商品１１０をスキャンし、製作し、印刷するか、または複製するための許可などの、マークされた商品１１０のための許可に関連することができる。許可は、０（すなわち、許可されない）、１（すなわち、１回の利用）、限られた数（例えば、２回または５回）、または無制限の数（例えば、無制限の利用）を含む、動作が許可される回数を示してもよい。いくつかの実施形態において許可は、オブジェクト１１０のためのさらなる許可の取得に関する情報を含んでもよい。マーカ１２４は、支払い、認証、サインインなどのためのインターフェースへのリンクを提供するためなどのコマンドを提供してもよい。いくつかの実施形態においてマーカ１２４は、マークされた商品１１０及び／または命令１１２にアクセスすることができるリンクを作成するための符号化された製作命令１１２さえも含んでもよい。
【００２５】
マーカ１２４は、あらゆる単純性または複雑性を持つ意味のセットに関連することができる。スペクトルの一端においてマーカ１２４は、１つの意味を持つ１種類のマーカを有するシステムの一部であってもよい。例えば、マーカ１２４は商品が紫外線プラスチックから作成されるものとしてもよく、対応する意味はこのようなマーカ１２４を有するマークされた商品１１０の複製が許可されていないことを示してもよい。やや複雑なシステムは、有限数のマーカの種類及び意味を含んでもよい。例えばマーカ１２４は、商品が特定の範囲の紫外線を反射する紫外線プラスチックから作成され、それぞれの異なる範囲が商品の異なるサードパーティサプライヤを示すこととしてもよい。スペクトルのもう一端においてマーカ１２４は、一定数の種類または意味を有さないシステムの一部であってもよい。例えばマーカ１２４は、任意の数の分化機構（例えば、紫外線検出可能パターンを有する赤外線検出可能パターン）を利用してマークされた商品１１０内に構成されたパターンを含んでもよく、それぞれのパターンは、一意識別子及び／または一意の命令のセットを示してもよい。
【００２６】
システムアーキテクチャ
図２は、マークされた商品１１０を提供し、かつ／または識別するための技術が実装されてもよい、例示的なシステムまたはアーキテクチャ２００を示す。アーキテクチャ２００において、１名または複数名のユーザ１０２は１つまたは複数のネットワーク２１２を介してブラウザアプリケーション２０６（例えば、ウェブブラウザ）、またはブラウザアプリケーション２０６を通じてアクセス可能なユーザインターフェース（ＵＩ）にアクセスするために、ユーザコンピューティング装置２０４（１）〜（Ｎ）（以下総称的に、ユーザ装置２０４とする）を利用してもよい。「ブラウザアプリケーション」２０６は、ネットワークページまたは他の情報にアクセスしそれらを表示することが可能な任意のブラウザ制御またはネイティブアプリケーションとすることができる。いくつかの態様においてブラウザアプリケーション２０６は、１つまたは複数のサービスプロバイダコンピュータ２１６を利用することなどにより、コンピューティング資源サービスまたはサービスプロバイダによってホストされ、管理され、かつ／または提供されてもよい。いくつかの実施例において１つまたは複数のサービスプロバイダコンピュータ２１６は、クライアントエンティティ、低レイテンシデータ記憶装置、耐久性データ記憶装置、データアクセス、管理、仮想化、ホスト型コンピューティングシステムに基づくソフトウェアソリューション、電子コンテンツパフォーマンス管理などの、しかしそれに限定されないコンピューティング資源を提供してもよい。１つまたは複数のサービスプロバイダコンピュータ２１６はまた、ウェブまたはネットワークホスティング、コンピュータアプリケーション開発、及び／または実装プラットフォーム、上記の組み合わせなどを１名または複数名のユーザ１０２へと提供するように動作可能であってもよい。
【００２７】
ある例示的な構成においてユーザ装置２０４は、少なくとも１つのメモリ２０８及び１つまたは複数の処理装置または（１つまたは複数の）プロセッサ２１０を含んでもよい。（１つまたは複数の）プロセッサ２１０は、ハードウェア、コンピュータ実行可能命令、ファームウェア、またはその組み合わせにおいて適宜実装されてもよい。（１つまたは複数の）プロセッサ２１０のコンピュータ実行可能命令またはファームウェア実装は、任意の好適なプログラミング言語で書き込まれた、記載の様々な機能を実行するためのコンピュータ実行可能またはマシン実行可能命令を含んでもよい。ユーザ装置２０４はまた、ユーザ装置２０４に関連する地理的位置情報の提供及び／または記録のためのジオロケーション装置（例えば、a全地球測位システム（ＧＰＳ）装置など）を含んでもよい。
【００２８】
メモリ２０８は、（１つまたは複数の）プロセッサ２１０上でロード可能かつ実行可能なプログラム命令、及びこれらのプログラムの実行時に生成されるデータを記憶してもよい。メモリ２０８は、ユーザ装置２０４の構成及び種類に応じて、揮発性（ランダムアクセスメモリ（ＲＡＭ）など）及び／または不揮発性（読み出し専用メモリ（ＲＯＭ）、フラッシュメモリなど）であってもよい。ユーザ装置２０４はまた、磁気記憶装置、光学ディスク、及び／またはテープ記憶装置を含むがそれに限定されない追加的な取り外し可能な記憶装置及び／または取り外し不可能な記憶装置を含んでもよい。ディスクドライブ及びそれらの関連するコンピュータ可読媒体は、コンピューティング装置のためのコンピュータ可読命令、データ構造、プログラムモジュール、及び他のデータの不揮発性記憶装置を提供してもよい。いくつかの実装において、メモリ２０８は、スタティックランダムアクセスメモリ（ＳＲＡＭ）、ダイナミックランダムアクセスメモリ（ＤＲＡＭ）、またはＲＯＭなどの複数の異なる種類のメモリを含んでもよい。
【００２９】
メモリ２０８の構成要素をより詳細に参照すると、メモリ２０８は、本明細書にて開示する特徴の、ブラウザアプリケーション２０６または専用アプリケーション（例えば、スマートフォンアプリケーション、タブレットアプリケーションなど）を介した実装のための、オペレーティングシステム及び１つまたは複数のアプリケーションプログラムもしくはサービスを含んでもよい。ブラウザアプリケーション２０６は、ウェブサイト、電子市場へのリンク、または１つまたは複数のサービスプロバイダコンピュータ２１６と対話するための他のインターフェースを受信し、記憶し、かつ／または表示するよう構成されてもよい。加えてメモリ２０８は、アクセス認証ならびに／または、ユーザＩＤ、パスワード、及び／もしくは他のユーザ情報などの、しかしそれに限定されない他のユーザ情報を記憶してもよい。いくつかの実施例において、ユーザ情報は、装置ＩＤ、クッキー、ＩＰアドレス、位置などの、しかしそれに限定されない、アカウントの認証のための情報を含んでもよい。さらにユーザ情報は、ユーザ１０２が提供したセキュリティ質問への応答またはユーザ装置２０４によって取得された地理的位置を含んでもよい。
【００３０】
いくつかの実施例において、ネットワーク２１２は、ケーブルネットワーク、インターネット、無線ネットワーク、セルラーネットワーク及び他のプライベート及び／またはパブリックネットワークなどの多くの異なるタイプのネットワークのいずれか１つまたはその組み合わせを含んでもよい。示される実施例はユーザ１０２のネットワーク２１２を介したブラウザアプリケーション２０６へのアクセスを表すが、記載の技術については、ユーザ１０２が、固定電話を用いて、キオスクを介して、または任意の他の方法によって、１つまたは複数のユーザ装置２０４を介して１つまたは複数のサービスプロバイダコンピュータ２１６と対話する例にも同様に適用してもよい。記載の技術については、他のクライアント／サーバ配置（例えば、セットトップボックスなど）、及び非クライアント／サーバ配置（例えば、ローカルで記憶されたアプリケーションなど）に適用してもよいことにもまた留意されたい。
【００３１】
簡単に上述したように、ブラウザアプリケーション２０６は、ユーザ１０２がウェブページまたはネットワークページのようなコンテンツにアクセスするなどのための１つまたは複数のサービスプロバイダコンピュータ２１６（例えば、サービスプロバイダ１０８のコンピュータシステム１０６）と対話することを可能にしてもよい。おそらくサーバのクラスタ内にまたはサーバファームとして配置される１つまたは複数のサービスプロバイダコンピュータ２１６は、ブラウザアプリケーション２０６及び／またはクラウドベースのソフトウェアサービスをホストしてもよい。他のサーバアーキテクチャがまた、ブラウザアプリケーション２０６及び／またはクラウドベースのソフトウェアサービスをホストするために利用されてもよい。ブラウザアプリケーション２０６は、多くのユーザ１０２からの要求を処理し、それに応じて、ウェブページ、ウェブサイト、ネットワークサイト、またはネットワークページなどの、しかしそれに限定されないユーザ装置２０４において行うことができる様々なユーザインターフェースの役割を果たすことが可能であってもよい。ブラウザアプリケーション２０６は、ソーシャルネットワーキングサイト、電子小売店、情報サイト、ブログサイト、サーチエンジンサイト、ニュース及びエンターテインメントサイトなどを含むユーザインタラクションをサポートする任意のタイプのウェブサイトまたはネットワークサイトと対話することができる。記載の技術については同様に、ユーザ装置２０４上で動作する他のアプリケーションなどのブラウザアプリケーション２０６の外部で実装することができる。
【００３２】
１つまたは複数のサービスプロバイダコンピュータ２１６は、携帯電話、スマートフォン、携帯情報端末（ＰＤＡ）、ノート型コンピュータ、デスクトップコンピュータ、サーバコンピュータ、電子書籍（ｅブック）リーダ、シンクライアント装置、タブレットＰＣなどなどの、しかしそれに限定されない任意のタイプのコンピューティング装置であってもよい。加えていくつかの実施形態においては、１つまたは複数のサービスプロバイダコンピュータ２１６が、ホスト型コンピューティング環境に実装された１つまたは複数の仮想マシンによって実行されてもよいことに留意されたい。ホスト型コンピューティング環境は、１つまたは複数の高速でプロビジョニングされかつリリースされるコンピューティング資源を含んでもよく、そのようなコンピューティング資源はコンピューティング、ネットワーキング、及び／または記憶装置を含んでもよい。ホスト型コンピューティング環境はまた、クラウドコンピューティング環境とも称されてもよい。いくつかの実施例では、１つまたは複数のサービスプロバイダコンピュータ２１６は、ネットワーク２１２を介して、または他のネットワーク接続を介してユーザ装置２０４と通信してもよい。１つまたは複数のサービスプロバイダコンピュータ２１６は、おそらくクラスタ内、または互いに関連しない個別のサーバとして配置される１つまたは複数のサーバを含んでもよい。１つまたは複数のサービスプロバイダコンピュータ２１６は、ネットワーク２１２を介して１つまたは複数のサードパーティコンピュータ２１４（例えば、サードパーティ１３０のコンピュータシステム１３２）と通信してもよい。ブラウザアプリケーション２０６をホストする１つまたは複数のサービスプロバイダコンピュータ２１６は本明細書に記載の実施形態によって、データを取得し、ネットワーク２１２を介してサードパーティコンピュータ２１４に提供してもよい。
【００３３】
ある例示的な構成において、１つまたは複数のサービスプロバイダコンピュータ２１６は、少なくとも１つのメモリ２１８及び１つもしくは複数の処理装置またはプロセッサ（１つまたは複数の）２２１を含んでもよい。（１つまたは複数の）プロセッサ２２１は、ハードウェア、コンピュータ実行可能命令、ファームウェア、またはその組み合わせにおいて適宜実装されてもよい。（１つまたは複数の）プロセッサ２２１のコンピュータ実行可能命令またはファームウェア実装は、記載の様々な機能を実行するために、任意の好適なプログラミング言語で書き込まれたコンピュータ実行可能またはマシン実行可能命令を含んでもよい。メモリ２１８は、（１つまたは複数の）プロセッサ２２１上でロード可能かつ実行可能なプログラム命令及びこれらのプログラムの実行中に生成されたデータを記憶してもよい。メモリ２１８は、１つまたは複数のサービスプロバイダコンピュータ２１６の構成及び種類に応じて、揮発性（ＲＡＭなど）かつ／または不揮発性（ＲＯＭ、フラッシュメモリなど）であってもよい。１つまたは複数のサービスプロバイダコンピュータ２１６またはサーバは、また、取り外し可能な記憶装置及び／または取り外し不可能な記憶装置を含んでもよい追加的な記憶装置２２２を含んでもよい。追加的な記憶装置２２２は、磁気記憶装置、光学ディスク及び／またはテープ記憶装置を含んでもよいが、それに限定されない。ディスクドライブ及びそれらの関連するコンピュータ可読媒体は、不揮発性記憶装置に、コンピューティング装置のためのコンピュータ可読命令、データ構造、プログラムモジュール及び他のデータを提供してもよい。いくつかの実装において、メモリ２１８はＳＲＡＭ、ＤＲＡＭ、またはＲＯＭなどの複数の異なる種類のメモリを含んでもよい。
【００３４】
取り外し可能な、また取り外し不可能な両方のメモリ２１８、追加的な記憶装置２２２はすべて、非一時的コンピュータ可読記憶媒体の実施例である。例えばコンピュータ可読記憶媒体は、コンピュータ可読命令、データ構造、プログラムモジュール、または他のデータなどの情報の記憶のための任意の方法または技術で実装された揮発性または不揮発性、取り外し可能、または取り外し不可能な媒体を含んでもよい。メモリ２１８及び追加的な記憶装置２２２は、すべて、コンピュータ記憶媒体の実施例である。１つまたは複数のサービスプロバイダコンピュータ２１６内に存在してもよい追加的な種類のコンピュータ記憶媒体は、ＰＲＡＭ、ＳＲＡＭ、ＤＲＡＭ、ＲＡＭ、ＲＯＭ、ＥＥＰＲＯＭ、フラッシュメモリまたは他のメモリ技術、ＣＤ−ＲＯＭ、ＤＶＤまたは他の光学記憶装置、磁気カセット、磁気テープ、磁気ディスク記憶装置もしくは他の磁気記憶装置、または所望の情報を記憶するために利用することができ、かつ１つまたは複数のサービスプロバイダコンピュータ２１６によってアクセスすることができる任意の他の媒体を含んでもよいが、それに限定されない。上記のいずれかの組み合わせはまた、コンピュータ可読媒体の範囲に含まれるべきである。
【００３５】
１つまたは複数のサービスプロバイダコンピュータ２１６はまた、１つまたは複数のサービスプロバイダコンピュータ２１６が、ネットワーク２１２上で記憶されたデータベース、他のコンピューティング装置またはサーバ、ユーザ端末及び／または他の装置と通信することを可能にする（１つまたは複数の）通信接続２２３を含んでもよい。１つまたは複数のサービスプロバイダコンピュータ２１６はまた、キーボード、マウス、ペン、音声入力装置、タッチ入力装置、ディスプレイ、スピーカ、プリンタなどの（１つまたは複数の）Ｉ／Ｏ装置２２４を含んでもよい。
【００３６】
メモリ２１８のコンテンツをより詳細に参照すると、メモリ２１８は、オペレーティングシステム２２０、１つまたは複数のデータストア２４０及び／または１つまたは複数のアプリケーションプログラム、サービス、または本明細書にて開示する特徴の実装のためにプロセッサ（例えば、プロセッサ２１０及び／または２２１）によって通常は実行される他のソフトウェアモジュールを含んでもよい。
【００３７】
図２では例示的なモジュールを示すが、本明細書に記載の機能及び実施形態は、モジュールによって提供される特徴のサブセットを利用するができ、かつ／または追加的機能を提供することができる。加えて、図２に関連して例示的なモジュールについて簡単に示すが、例示的なモジュールに関するさらなる特定の詳細については、続く図の説明において以下に記す。
【００３８】
メモリ２１８の例示的なモジュールとして、商品の注文１０４の受信及び／または処理のために商品モジュール３０２を提供することができる。商品モジュール３０２はまた、注文された商品がマークされた商品１１０として生成されるか否か判断する。商品モジュール４０２はさらに、マークされた商品１１０として生成される商品に関連する情報の取得及び／または提供のために提供されてもよい。マークされた商品１１０に含まれるマーク１２４に関連する情報の取得及び／または提供のために、マーカモジュール４０２を提供することができる。商品モジュール３０２及び／またはマーカモジュール４０２がアクセスした情報に少なくとも部分的に基づいてもよい、例えば３Ｄ製作命令１１２の３Ｄ製作装置１１４への命令の提供及び／または生成のために、製作モジュール５０２を提供することができる。
【００３９】
理解できる通り、注文１０４がなされた時には３Ｄ製作命令１１２及び／または関連する情報が利用可能であるようにするために、３Ｄ製作命令１１２及び／またはそれに関連する情報（商品情報１１６、１２６、及び／もしくは１３６ならびに／またはマーカ情報１１８、１２８、及び／もしくは１３８など）がユーザ１０２からの注文１０４の受領前に取得され、記憶されてもよい。さらに、商品モジュール３０２、マーカモジュール４０２、及び／または製作モジュール５０２は、また、ユーザ装置２０４、サードパーティコンピュータ２１４、メモリ２１８、データベース２４０、３Ｄ製作装置１１４、及び／またはスキャン装置１２０を含む任意の適切な直接または中間ソースからの任意の関連する商品情報、マーカ情報、３Ｄ製作命令、及び／または検出情報（例えば、１１２、１１６、１１８、１２２、１２６、１２８、１３６、及び／または１３８）にアクセスしてもよい。
【００４０】
図３はいくつかの実施形態による、マークされた商品１１０の生成のための例示的なプロセス３００を表すフローチャートである。プロセス３００の一部または全部（または本明細書に記載の任意の他のプロセス、もしくは変形形態及び／またはその組み合わせ）は、本明細書に記載のモジュールなどの実行可能命令で構成された１つまたは複数のコンピュータシステムの制御下で実行されてもよく、１つまたは複数のプロセッサ上で全体として実行するコード（例えば、実行可能命令、１つまたは複数のコンピュータプログラムまたは１つまたは複数のアプリケーション）として、ハードウェアまたはその組み合わせによって実装されてもよい。コードは例えば１つまたは複数のプロセッサにより実行可能な複数の命令を含むコンピュータプログラムの形式で、コンピュータ可読記憶媒体上に記憶されてもよい。コンピュータ可読記憶媒体は非一時的であってもよい。さらに、他に示されない限り、プロセスにおいて示される動作は必ずしも示される順序でなくともよく、かつ／または動作の一部を実施形態において省略することもできる。
【００４１】
プロセス３００は３０２において、３Ｄ製作装置で商品を製作するための要求の受信を含む。例えばユーザ１０２は、サービスプロバイダのコンピュータ１０６に注文１０４を出し、かつ／または商品１１０を作成するために製作命令１１２を製作装置１１４に送信するよう要求してもよい。３０２では、商品情報にアクセスすることができる。３０６では、マーカ情報にアクセスすることができる。例えば上述のように、メモリ、サードパーティ、またはスキャン装置から、商品情報及び／またはマーカ情報にアクセスしてもよい。３０８では、３Ｄ製作命令を生成することができる。例えば３Ｄ製作命令は、上述のように、アクセスされたマーカ情報及び商品情報に基づいてもよい。３１０では、マーカを用いた商品の製作を命令することができる。例えば商品は、本明細書にて上述した任意の情報、許可、またはコマンド提供するために、本明細書にて上述した任意のマーカを含んでもよい。
【００４２】
図４はいくつかの実施形態による、マークされた商品１１０の識別のための例示的なプロセス４００を表すフローチャートである。プロセス４００は、４０２において、商品のスキャン要求の受信を含む。例えばユーザ１０２は、第１の商品に基づき、３Ｄ製作装置を用いて第２の商品を製作するための３Ｄ製作命令の生成のために、利用可能な商品情報を取得できるように、スキャン装置１２０を介して第１のマークされた商品１１０をスキャンすることを望む場合がある。４０２では、マーカを検出することができる。例えば上述のようにスキャン装置は、マーカを検出し、かつ／またはマーカに関するマーカ情報を取得するための本明細書に記載の技術のいずれかを利用してもよい。４０６では、マーカを解釈することができる。例えば、検出されたマーカを復号するか、または検出されたマーカをデータベースに記憶されたマーカープロファイルと比較することで、マーカの意味を判定してもよい。４０８では、マーカに基づいて情報を提供することができる。例えば上述のように、検出されたマーカに基づいて、本明細書にて上述した任意の情報、許可、またはコマンドを提供してもよい。
【００４３】
図５は、様々な実施形態による態様を実装するための例示的な環境５００の態様を示す。理解されるように、説明の目的でウェブベースの環境が利用されるが、様々な実施形態を実装するために異なる環境が適宜利用されてもよい。環境は、適切なネットワーク５０４を介して要求、メッセージまたは情報を送受信し、装置のユーザに情報を伝達し返すように動作可能である任意の適切な装置を含むことができる電子クライアント装置５０２を含む。このようなクライアント装置の実施例は、パーソナルコンピュータ、携帯電話、手持ち式メッセージ通信装置、ノート型コンピュータ、セットトップボックス、携帯情報端末、電子書籍リーダなどを含む。ネットワークは、イントラネット、インターネット、セルラーネットワーク、ローカルエリアネットワークもしくは任意の他のこのようなネットワークまたはその組み合わせを含む任意の適切なネットワークを含むことができる。このようなシステムのために利用される構成要素は、選択されたネットワーク及び／または環境の種類に少なくとも部分的に依存することができる。このようなネットワークを介した通信のためのプロトコル及び構成要素についてはよく知られており、本明細書においては詳細に記さない。有線または無線接続及びその組み合わせによって、ネットワークを介した通信を可能にすることができる。本実施例においては、要求を受信し、それに応答してコンテンツを送達するために環境がウェブサーバ５０６を含むため、ネットワークはインターネットを含むが、当業者には明らかであるように、他のネットワークについて同様の目的を達成する代替的な装置が利用される可能性がある。
【００４４】
例示的な環境は、少なくとも１つのアプリケーションサーバ５０８及びデータストア５１０を含む。適切なデータストアからのデータの取得などのタスクを実行するために対話することができるようにつながれるかまたは構成されてもよい、いくつかのアプリケーションサーバ、レイヤ、または他の要素、プロセスまたは構成要素が存在し得ることを理解されたい。本明細書にて使用されるように、「ｄａｔａ  ｓｔｏｒｅ（データストア）」の用語は、任意の標準、分散またはクラスタ化環境におけるデータサーバ、データベース、データ記憶装置及びデータ記憶媒体の任意の組み合わせ及び数を含んでもよい、データを記憶し、アクセスし、検索することができる任意の装置または装置の組み合わせを指す。アプリケーションサーバは、クライアント装置のための１つまたは複数のアプリケーションの態様を実行するために必要なようにデータストアと統合し、アプリケーションのための大多数のデータアクセス及びビジネスロジックを処理するための任意の適切なハードウェア及びソフトウェアを含むことができる。アプリケーションサーバはデータストアと連携するアクセス制御サービスを提供し、ハイパーテキストマークアップ言語（「ＨＴＭＬ」）、拡張マークアップ言語（「ＸＭＬ」）または本実施例における他の適切な構造化言語の形式でウェブサーバによってユーザに送達されてもよい、ユーザに転送されるテキスト、グラフィックス、音声及び／または動画などのコンテンツを生成することができる。すべての要求の処理及び応答、ならびにクライアント装置５０２とアプリケーションサーバ５０８との間のコンテンツの配信は、ウェブサーバによって処理することができる。本明細書内の他の場所に記載したように、本明細書に記載の構造化コードは任意の適切な装置またはホストマシン上で実行することができるため、ウェブ及びアプリケーションサーバは必要とされているわけではなく単なる例示的な構成要素にすぎないことを理解されたい。
【００４５】
データストア５１０は、特定の態様に関するデータを記憶するためのいくつかの別個のデータテーブル、データベースまたは他のデータ記憶機構及び媒体を含むことができる。例えば例示されるデータストアは、生産側にコンテンツを送達するために利用することができる生産データ５１２及びユーザ情報５１６を記憶するための機構を含む。データストアはまた、報告、分析または他のこのような目的のために利用することができるログデータ５１４を記憶するための機構を含むように示される。ページ画像情報などのためにデータストアに記憶され、上述の機構のいずれかに適宜、またはデータストア５１０内の追加的機構に記憶することができる権利情報にアクセスする必要がある可能性がある多くの他の態様が存在し得ることを理解されたい。データストア５１０は命令をアプリケーションサーバ５０８から受信し、それに応じたデータを取得し、更新し、または処理するために、それに関連するロジックを通じて操作可能である。ある実施例において、ユーザは特定の種類の商品のための検索要求を出す可能性がある。この場合、データストアはユーザの本人確認を行うためにユーザ情報にアクセスし、ユーザの同一を確認する可能性があり、その種類の商品に関する情報を取得するためにカタログ詳細情報にアクセスすることができる。情報はその後、ユーザがクライアント装置５０２上でブラウザを介して閲覧することができるウェブページ上の結果リストなどにおいてユーザに返すことができる。関心のある特定の商品の情報は、ブラウザの専用ページまたはウィンドウにおいて閲覧することができる。
【００４６】
各サーバは通常、そのサーバの一般的な管理及び動作のための実行可能プログラム命令を出すオペレーティングシステムを含み、通常はサーバのプロセッサによる実行時に、サーバにその意図する機能を実行させる命令を記憶するコンピュータ可読記憶媒体（例えば、ハードディスク、ランダムアクセスメモリ、読み出し専用メモリなど）を含む。特に本明細書の開示を考慮すると、サーバのオペレーティングシステム及び一般的な機能のための好適な実装が知られているかまたは市販されており、当業者によって容易に実装される。
【００４７】
ある実施形態における環境は、１つまたは複数のコンピュータネットワークまたは直接接続を利用する通信リンクを介して相互接続されるいくつかのコンピュータシステム及び構成要素を利用する分散コンピューティング環境である。しかし、このようなシステムは図５に示すよりも多いまたは少ない数の構成要素を有するシステムにおいても等しく動作する可能性があることが当業者には明らかであろう。このように、図５におけるシステム５００の記載は本開示の範囲を限定するものではなく、本質的に例示として見なされるべきである。
【００４８】
任意の数のアプリケーションを操作するために利用することができる１つまたは複数のユーザーコンピュータ、コンピューティング装置または処理装置を場合によっては含むことができる広範な種類の動作環境において、様々な実施形態をさらに実装することができる。ユーザまたはクライアント装置は、任意の数の、標準オペレーティングシステムを動作させるデスクトップまたはノート型コンピュータなどの汎用パーソナルコンピュータ、ならびにモバイルソフトウェアを動作させ、いくつかのネットワーキング及びメッセージ通信プロトコルをサポートすることができる携帯、無線及び手持ち式装置を含むことができる。このようなシステムはまた、開発及びデータベース管理などの目的で、様々な流通オペレーティングシステム及び他の既知のアプリケーションのいずれかを動作させるいくつかのワークステーションを含むことができる。これらの装置はまた、ダミー端末、シンクライアント、ゲームシステム及びネットワークを介して通信することができる他の装置などの他の電子装置を含むことができる。
【００４９】
ほとんどの実施形態は、通信制御プロトコル／インターネットプロトコル（「ＴＣＰ／ＩＰ」）、開放システム相互接続（「ＯＳＩ」）、ファイル転送プロトコル（「ＦＴＰ」）、ユニバーサルプラグアンドプレイ（「ＵｐｎＰ」）、ネットワークファイルシステム（「ＮＦＳ」）、共通インターネットファイルシステム（「ＣＩＦＳ」）及びアップルトークなどの様々な流通プロトコルのいずれかを利用する通信をサポートするために、当業者によく知られている少なくとも１つのネットワークを利用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク及び任意のその組み合わせとすることができる。
【００５０】
ウェブサーバを利用する実施形態において、ウェブサーバは、ハイパーテキスト転送プロトコル（「ＨＴＴＰ」）サーバ、ＦＴＰサーバ、共通ゲートウェイインターフェース（「ＣＧＩ」）サーバ、データサーバ、ジャバ（登録商標）サーバ及び業務アプリケーションサーバを含む様々なサーバまたは中間層アプリケーションのいずれかにおいて動作することができる。（１つまたは複数の）サーバは、また、ジャバ（登録商標）、Ｃ、Ｃ＃もしくはＣ＋＋、または、パール、パイソンもしくはＴＣＬなどの任意のスクリプト言語、及びその組み合わせなどの任意のプログラミング言語で書き込まれた１つまたは複数のスクリプトまたはプログラムとして実装されてもよい１つまたは複数のウェブアプリケーションの実行などによって、ユーザ装置からの要求に応じたプログラムまたはスクリプトを実行することが可能であってもよい。（１つまたは複数の）サーバは、また、オラクル（登録商標）、マイクロソフト（登録商標）、サイベース（登録商標）及びＩＢＭ（登録商標）から市販されているものを含むがそれに限定されないデータベースサーバを含んでもよい。
【００５１】
環境は上述のように、様々なデータストアならびに他のメモリ及び記憶媒体を含むことができる。これらは１つまたは複数のコンピュータのローカルにある（かつ／またはその中に存在する）、またはネットワークを介して任意のまたはすべてのコンピュータのリモートにある記憶媒体上などの様々な位置に存在することができる。特定の一連の実施形態において、情報は、当業者によく知られているストレージエリアネットワーク（「ＳＡＮ」）に存在してもよい。同様に、コンピュータ、サーバまたは他のネットワーク装置に帰属する機能の実行のために必要な任意のファイルは、ローカルにかつ／またはリモートに適宜記憶されてもよい。システムがコンピュータ化された装置を含む場合、このような装置はそれぞれ、バスを介して電気的に接続されてもよい、例えば、少なくとも１つの中央処理装置（「ＣＰＵ」）、少なくとも１つの入力装置（例えば、マウス、キーボード、コントローラ、タッチスクリーンまたはキーパッド）及び少なくとも１つの出力装置（例えば、表示装置、プリンタまたはスピーカ）を含むハードウェア要素を含むことができる。このようなシステムはまた、ディスクドライブ、光学記憶装置ならびに、ランダムアクセスメモリ（「ＲＡＭ」）または読み出し専用メモリ（「ＲＯＭ」）、及び取り外し可能なメディア装置、メモリカード、フラッシュカードなどソリッドステート記憶装置などの１つまたは複数の記憶装置を含んでもよい。
【００５２】
このような装置はまた、上述のように、コンピュータ可読記憶媒体リーダ、通信装置（例えば、モデム、ネットワークカード（無線または有線）、赤外線通信装置など）及びワーキングメモリを含むことができる。コンピュータ可読記憶媒体リーダは、リモート、ローカル、固定及び／または取り外し可能な記憶装置、ならびに、一時的にかつ／またはより永続的にコンピュータ可読情報を含み、記憶し、送信し、検索するための記憶媒体を表すコンピュータ可読記憶媒体と接続されるか、またはそれを受信するよう構成することができる。システム及び様々な装置は、また、クライアントアプリケーションなどのウェブブラウザなどのオペレーティングシステム及びアプリケーションプログラムを含む、少なくとも１つのワーキングメモリ装置内に位置するいくつかのソフトウェアアプリケーション、モジュール、サービスまたは他の要素を通常含む。代替的な実施形態は、上述の実施形態からの多数の変形形態を有してもよいことを理解されたい。例えばカスタマイズされたハードウェアもまた利用される可能性があり、かつ／または特定の要素がハードウェア、ソフトウェア（アプレットなどのポータブルソフトウェアを含む）またはその両方において実装される可能性もある。さらに、ネットワーク入力／出力装置などの他のコンピューティング装置への接続が用いられてもよい。
【００５３】
コード、またはコードの部分を含むための記憶媒体及びコンピュータ可読媒体は、ＲＡＭ、ＲＯＭ、電気的消去可能なプログラマブル読み出し専用メモリ（「ＥＥＰＲＯＭ」）、フラッシュメモリもしくは他のメモリ技術、コンパクトディスク読み出し専用メモリ（「ＣＤ−ＲＯＭ」）、デジタル多目的ディスク（ＤＶＤ）もしくは他の光学記憶装置、磁気カセット、磁気テープ、磁気ディスク記憶装置または他の磁気記憶装置または、所望の情報を記憶するために利用することができ、システム装置によってアクセスすることができる任意の他の媒体を含む、コンピュータ可読命令、データ構造、プログラムモジュールまたは他のデータなどの情報の記憶及び／または送信のための任意の方法または技術によって実装された、揮発性及び不揮発性、取り外し可能な、また取り外し不可能な媒体などの、しかしそれに限定されない記憶媒体及び通信媒体を含む、従来技術において知られているかまたは利用される任意の適切な媒体を含むことができる。本明細書にて提示される開示及び教示に基づき、様々な実施形態を実装するための他の方法が当業者には明らかであろう。
【００５４】
したがって明細書及び図面は、限定的な意味ではなく、例示として解釈されるべきである。しかし、特許請求の範囲に記載するような本開示の広範な趣旨及び範囲から逸脱することなく、様々な修正及び変更が加えられてもよいことが明らかである。
【００５５】
他の変形形態も本開示の趣旨に含まれる。このように開示の技術は様々な修正及び代替的な構成の影響を受けやすいが、その特定の例示される実施形態が図面に示され、上記において詳細に説明される。しかし、本開示を特定の形式に限定することを意図するものではなく、反対に、添付の特許請求の範囲において定義されるように、本開示の趣旨及び範囲に収まるすべての修正、代替的な構成及び均等物を包含する意図があることを理解されたい。「ａ」及び「ａｎ」及び「ｔｈｅ」の用語ならびに同様の指示の開示の実施形態の文脈における（特に、以下の特許請求の範囲の文脈における）使用は、本明細書にて特に指摘したり、明らかに文脈に矛盾したりしない限り、単数及び複数の両方を包含するよう解釈されるべきである。「ｃｏｍｐｒｉｓｉｎｇ（を備えた）」、「ｈａｖｉｎｇ（を有する）」、「ｉｎｃｌｕｄｉｎｇ（を含む）」及び「ｃｏｎｔａｉｎｉｎｇ（を含む）」の用語は特に明記されない限りは、開放型用語（すなわち、「を含むがそれに限定されない」を意味する）として解釈されるべきである。「ｃｏｎｎｅｃｔｅｄ（接続される）」の用語は、何か介在するものがあったとしても、部分的に、または全体として中に含まれ、取り付けられ、または結合されるように解釈されるべきである。本明細書内の値の範囲の詳述は、本明細書にて特に示されない限り、該範囲内に入る各別個の値を個々に参照する簡略表記法に役立つように単に意図されるものであり、そして各別個の値は、それが個々に本明細書中に列挙されるかのように、本明細書中に組み込まれる。本明細書に記載のすべての方法は、本明細書にて特に指摘したり、明らかに文脈に矛盾したりしない限り、任意の好適な順番で実行することができる。本明細書中に与えられる任意の、またすべての実施例、または例示的な言葉（例えば、「ｓｕｃｈ  ａｓ（などの）」）の使用は、本開示の実施形態をよりよく示すことのみを意図しており、特に特許請求の範囲において記載されない限り、本開示の範囲を限定するものではない。本明細書における言葉は、特許請求の範囲に記載されていない任意の要素を、本開示の実施に必須として示すと解釈されるべきではない。
【００５６】
本開示を実行するために、発明者に周知の最良の態様を含む本開示の好ましい実施形態が本明細書に記載される。それらの好ましい実施形態の変形形態が、上述の説明から当業者には明らかであってもよい。発明者は当業者がこのような変形形態を適宜用いるものと予想し、本明細書に記載した以外にも本開示が実施できることを意図している。したがって本開示は、準拠法によって許可される通り、本明細書に添付の特許請求の範囲に記載された対象事項のすべての修正及び均等物を含む。さらに本明細書にて特に指摘したり、明らかに文脈に矛盾したりしない限り、そのすべての潜在的な変形形態における上述の要素の任意の組み合わせが本開示に包含される。
【００５７】
本明細書において引用した刊行物、特許出願及び特許を含むすべての文献は、その全体が本明細書に参照のために個別に、かつ具体的に示されるのと同程度に参考のために本明細書に組み込まれる。
【００５８】
本開示の実施形態の実施例について、以下の条項を考慮して説明することができる。
１．コンピュータシステムによる、第１の三次元商品に関するスキャンされた情報の受信であって、前記第１の三次元商品は、三次元製作命令のセットに少なくとも部分的に基づき第１の三次元製作装置によって生成され、前記スキャンされた情報は、前記第１の三次元商品のマーカに関するマーカ情報を含む、前記第１の三次元商品に関するスキャンされた情報の受信と、
前記マーカ情報に基づく、前記第１の三次元商品のコピーを生成するための許可が存在するか否かの判定と、
前記許可が存在する場合の、第２の三次元製作装置を用いた前記第１の三次元商品の前記コピーの製作のための命令の提供と、
前記許可が存在しない場合の、前記第２の三次元製作装置を用いた前記第１の三次元商品の前記コピーの製作を妨げる命令の提供と、
を含む方法。
【００５９】
２．前記命令は、
前記第２の三次元製作装置が、前記第２の三次元製作装置のスキャン装置からの商品情報を取得することを妨げる情報を含み、製作を妨げ、
前記商品情報は、前記第１の三次元商品に少なくとも部分的に基づき、前記第２の三次元製作装置を用いて第２の三次元商品を製作するための三次元製作命令を生成するために利用可能である、
条項１に記載の方法。
【００６０】
３．前記命令は、
前記第２の三次元製作装置が、前記三次元製作装置のスキャン装置から取得された商品情報から前記三次元製作命令を生成することを妨げる情報を含み、製作を妨げ、
前記第２の三次元製作装置が、前記第１の三次元商品に少なくとも部分的に基づき、前記第２の三次元製作装置を用いて第２の三次元商品を製作するための三次元製作命令を生成するために利用可能である、
条項１に記載の方法。
【００６１】
４．前記マーカが、前記第１の三次元商品を製作するために利用された他の材料とは異なるマーカ材料を備える、条項１に記載の方法。
【００６２】
５．前記第１の三次元商品が、単一の材料を備え、前記マーカが、前記単一の材料の特性である、条項１に記載の方法。
【００６３】
６．前記マーカは、
電磁スペクトルのセグメントへの特定の反応を有する材料、
特定の色を有する材料、
特定のにおいを有する材料、
特定の磁気特性を有する材料、
特定の密度を有する材料、または、
特定の生物学的材料、
の少なくとも１つを備える、条項１に記載の方法。
【００６４】
７．前記マーカは、
前記三次元製作命令のセットを受けて、前記第１の三次元製作装置によって、前記第１の三次元商品の一部として製作された無線周波数識別（ＲＦＩＤ）タグか、
前記三次元製作命令のセットを受けて、前記第１の三次元製作装置によって、前記第１の三次元商品の一部として製作されたボイドのパターンか、または
異なる特性を有する材料のパターン、
の少なくとも１つを備える、条項１に記載の方法。
【００６５】
８．前記第１の三次元商品に関する前記スキャンされた情報の受信が、
超音波、
Ｘ線波、
電波、
紫外線波、または、
赤外線波、
の少なくとも１つを利用して前記第１の三次元商品をスキャンするスキャン装置からの情報の受信を含む、条項１に記載の方法。
【００６６】
９．コンピュータシステムの１つまたは複数のプロセッサによる実行時に、
前記第１の商品のスキャンからの第１の商品に関する検出情報の受信であって、前記第１の商品は、三次元製作命令のセットに少なくとも部分的に基づき、三次元製作プロセスによって生成され、前記検出情報は、前記第１の商品の一部として印刷されたマーカに関するマーカ情報を含む、前記第１の商品のスキャンからの第１の商品に関する検出情報の受信と、
前記マーカに少なくとも部分的に基づく、三次元製作装置を用いて第２の商品を製作するための許可が付与されるか否かの判定と、
を含む動作を前記コンピュータシステムに実行させる命令を記憶したコンピュータ可読記憶媒体。
【００６７】
１０．前記三次元製作装置を用いて前記第２の商品を製作するための前記許可が、前記マーカ情報に少なくとも部分的に基づいて付与されない、条項９に記載のコンピュータ可読記憶媒体。
【００６８】
１１．前記命令は、
三次元製作命令の、前記第１の商品のプロバイダからの受信と、
前記第１の商品の前記スキャンではなく、前記三次元製作命令に少なくとも部分的に基づいて前記第１の商品を製作するための前記三次元製作命令の前記三次元製作装置への提供と、
を含む動作を、前記コンピュータシステムにさらに実行させる、条項１０に記載のコンピュータ可読記憶媒体。
【００６９】
１２．前記三次元製作装置を用いて前記第２の商品を製作するための前記許可が、前記許可によって識別された特定の回数、前記第１の商品を製作するために付与される、条項９に記載のコンピュータ可読記憶媒体。
【００７０】
１３．前記三次元製作装置が、前記第１の商品を生成した前記三次元製作プロセスに対応する第２の三次元製作装置とは異なる、条項９に記載のコンピュータ可読記憶媒体。
【００７１】
１４．前記許可が付与されない場合に、前記三次元製作装置を用いて前記第１の商品をコピーするための権利の、ユーザによる要求を可能にすることを含む動作を、前記命令が前記コンピュータシステムにさらに実行させる、条項９に記載のコンピュータ可読記憶媒体。
【００７２】
１５．商品情報及びマーカ情報を取得するように第１の商品をスキャンするよう構成されたスキャン装置であって、前記第１の商品は、三次元製作命令のセットに少なくとも部分的に基づいて第１の三次元製作装置によって生成され、前記商品情報は、前記第１の商品に少なくとも部分的に基づいて第２の三次元製作装置を用いて第２の商品を製作するための第２の三次元製作命令のセットを生成するために利用可能であり、前記マーカ情報は、前記第１の商品の一部として印刷されたマーカから取得される、スキャン装置と、
１つまたは複数のプロセッサと、
前記１つまたは複数のプロセッサによって実行可能な命令を含むメモリであって、前記１つまたは複数のプロセッサによる実行時に、前記システムに少なくとも、
前記第１の商品をスキャンするよう前記スキャン装置に命令させ、
前記第１の商品の前記マーカを識別させ、
前記第１の商品の前記マーカから抽出された前記マーカ情報から、前記第２の三次元製作命令のセットに関連する複数のコマンドを決定させ、
前記複数のコマンドを前記第２の三次元製作装置に提供させる、
前記メモリと、
を備えるシステム。
【００７３】
１６．前記システムがさらに、前記マーカ情報に少なくとも部分的に基づいて、前記第１の商品をコピーするための許可が付与されるか否かを少なくとも識別させられる、条項１５に記載のシステム。
【００７４】
１７．前記許可が付与される場合に、前記複数のコマンドの少なくとも１つが、前記第２の三次元製作装置に前記第２の商品を印刷させる命令を含む、条項１６に記載のシステム。
【００７５】
１８．前記マーカ情報を記憶装置に記憶されたマーカの収集に関連する許可の収集と比較することで、前記許可または前記複数のコマンドの少なくとも１つが識別される、条項１５に記載のシステム。
【００７６】
１９．前記複数のコマンドの少なくとも１つが、前記マーカ情報に少なくとも部分的に基づく情報を、
前記第１の商品に関連するサプライヤ、
前記第１の商品に関連するサードパーティ、
製作装置、または、
前記システムのユーザ、
の少なくとも１つへと送信するための命令を含む、条項１５に記載のシステム。
【００７７】
２０．前記複数のコマンドの少なくとも１つが、
前記第１の商品が製作されたかまたはスキャンされた日付の提供、
前記第１の商品が製作されたかまたはスキャンされた位置の提供、
三次元製作装置を介して前記第１の商品を複製するための許可を要求するためのリンクの提供、または、
前記第１の商品のプロバイダに関する情報の提供、
の少なくとも１つのための命令を含む、条項１５に記載のシステム。
【００７８】
２１．コンピュータシステムによる、三次元製作装置を用いて三次元商品を製作するための要求の受信と、
前記三次元製作装置を用いた前記三次元商品の製作に関する商品情報へのアクセスと、
製作される前記三次元商品に含めるように指定された、前記三次元商品に関連する許可を示すマーカに関するマーカ情報へのアクセスと、
前記商品情報及び前記マーカ情報に少なくとも部分的に基づく三次元製作命令の生成と、
前記三次元製作命令に基づいて、含まれる前記マーカを用いて前記三次元製作装置に前記三次元商品を製作させるための命令と、
を含む方法。
【００７９】
２２．前記許可が、三次元製作装置によって、前記三次元商品の複製が許可されないことを示す、条項２１に記載の方法。
【００８０】
２３．前記マーカが、前記三次元商品を製作するために利用された他の材料とは異なるマーカ材料を備える、条項２１に記載の方法。
【００８１】
２４．前記三次元商品が、単一の材料を備え、前記マーカが、前記単一の材料の特性である、条項２１に記載の方法。
【００８２】
２５．前記マーカは、
電磁スペクトルセグメントへの特定の反応を有する材料、または、
特定のにおいを有する材料、
の少なくとも１つを備える、条項２１に記載の方法。
【００８３】
２６．前記マーカは、
特定の色を有する材料、
特定の密度を有する材料、または、
特定の生物学的材料、
の少なくとも１つを備える、条項２１に記載の方法。
【００８４】
２７．前記マーカは、
特定の磁気特性を有する材料、
前記三次元製作命令を受けて、前記三次元商品の一部として前記三次元製作装置によって製作された無線周波数識別（ＲＦＩＤ）タグ、
前記三次元製作命令を受けて前記三次元商品の一部として前記三次元製作装置によって製作されたボイドのパターン、または、
異なる特性を有する材料から形成されたパターン、
の少なくとも１つを備える、条項２１に記載の方法。
【００８５】
２８．前記マーカは、前記三次元商品の表面下に位置するか、または人間の目には見えないかの、少なくとも１つである、条項２１に記載の方法。
【００８６】
２９．コンピュータシステムの１つまたは複数のプロセッサによる実行時に、前記コンピュータシステムに少なくとも、
前記コンピュータシステムによって、三次元製作装置を用いて三次元商品を製作するための要求を受信させ、
前記三次元製作装置のために、そこに含まれるマーカを用いて前記三次元商品を作成するための三次元製作命令を提供させることであって、前記マーカは、装置により検出可能であり、前記三次元商品のコピーを生成するための許可に関する許可情報を伝達する、前記三次元商品を作成するための三次元製作命令を提供させる、
命令を記憶したコンピュータ可読記憶媒体。
【００８７】
３０．前記三次元商品の前記のコピーを生成するための前記許可が、前記商品のスキャンを可能にするための命令を含む、条項２９に記載のコンピュータ可読記憶媒体。
【００８８】
３１．前記マーカが、前記三次元商品に関するメタデータを伝達するパターンに配置される材料を備える、条項２９に記載のコンピュータ可読記憶媒体。
【００８９】
３２．前記命令が、さらに、前記コンピュータシステムに、前記マーカのその後の解釈のためにネットワークアクセス可能な位置へ前記マーカに関するマーカ情報を送信させる、条項２９に記載のコンピュータ可読記憶媒体。
【００９０】
３３．前記マーカが、」さらに、前記三次元商品に関する、前記三次元商品の前記コピーを生成するための許可に関しない二次情報を伝達する、条項２９に記載のコンピュータ可読記憶媒体。
【００９１】
３４．前記二次情報は、
前記三次元商品が生成された日時、
前記三次元商品に関連する設計者、
前記三次元商品に関連する販売者、
前記三次元商品の真正性、
連絡先情報、または、
前記三次元商品のシリアル番号、
少なくとも１つを含む、条項３３に記載のコンピュータ可読記憶媒体。
【００９２】
３５．三次元製作命令に基づいて商品を製作するよう構成された製作装置と、
１つまたは複数のプロセッサと、
前記１つまたは複数のプロセッサによって実行可能な命令を含むメモリであって、前記１つまたは複数のプロセッサによる実行時に、前記システムに少なくとも、
そこに含まれるマーカを有する前記商品を作成するための前記三次元製作命令を前記製作装置へと提供させることであって、前記マーカは、装置によって検出可能であり、前記商品のコピーを生成するための許可に関する情報伝達する、前記三次元製作命令を前記製作装置へと提供させる、
前記メモリと、
を備えるシステム。
【００９３】
３６．前記マーカを検出するように構成されたスキャン装置をさらに備え、
前記命令が、さらに、前記システムに、
前前記スキャン装置から前記マーカに関する検出情報を受信させ、
記マーカに関する前記検出情報に基づき、前記三次元製作装置または他の三次元製作装置を介して前記商品のコピーを生成するか否かを判定させる、
条項３５に記載のシステム。
【００９４】
３７. 前記スキャン装置が、
超音波、
Ｘ線波、
紫外線波、または、
赤外線波、
の少なくとも１つを利用して前記商品をスキャンするよう構成された、条項３６に記載のシステム。
【００９５】
３８. 前記マーカの種類が、第１のパーティからの情報に少なくとも部分的に基づいて決定され、前記マーカの意味が、第２のパーティからの情報に基づいて決定される、条項３６に記載のシステム。
【００９６】
３９.前記製作装置が、前記マーカに関連する材料を提供するための第１の材料アプリケータ及び、前記商品に関連して前記マーカに関連しない材料を提供するための第２の材料アプリケータを備える、条項３５に記載のシステム。
【００９７】
４０.前記許可に関する前記マーカによって伝達された前記情報が、三次元製作印刷プロセスを利用して前記商品を複製するための許可を取得するための情報を含む、条項３５に記載のシステム。
【図１】
2017528333.tif 000003
【図２】
2017528333.tif 000004
【図３】
2017528333.tif 000005
【図４】
2017528333.tif 000006
【図５】
2017528333.tif 000007
【国際調査報告】
2017528333.tif 000008
2017528333.tif 000009
2017528333.tif 000010